(57)【特許請求の範囲】
【請求項１】
強調して表示される強調項目と強調して表示されない非強調項目とを含む複数の項目を表示する表示部と、
前記表示部の全体の背景を照明する背景照明部と、
前記強調項目を照明する局所照明部と、
前記複数の項目から１つの項目を使用者が選択するための選択部とを備え、
前記背景照明部は、第１の光源と、前記第１の光源の光を均一に拡散させる導光板とを有し、且つ、前記局所照明部が前記強調項目を照明している間に前記強調項目と前記非強調項目との両方を照明し、
前記局所照明部は、点光源である第２の光源を有し、使用者が前記選択部によって選択した項目を強調項目として照明し、さらに、
前記表示部とは別個に形成され、使用者が前記選択部によって選択した項目を文字で表示する文字表示部と、
前記背景照明部と前記局所照明部と前記文字表示部とを制御する制御部とを備え、
前記表示部は、前記複数の項目が印刷されたシートによって構成され、
前記表示部が表示する項目は複数の上位項目を含み、それぞれの前記上位項目は複数の下位項目を含み、
前記背景照明部は、前記シートの背面側において前記シートの一辺に近接して配置されて前記シートの方向に照明光を照射するサイドライトと、前記シートの背面側において前記サイドライトの光を前記シートの背面に均一に拡散させる導光板と、前記導光板を保持するホルダーとによって構成され、
前記ホルダーには開口部が形成され、
前記局所照明部は、前記ホルダーの開口部を通して前記強調項目を照明するように配置され、
前記選択部は、使用者が操作して項目を選択するための、同軸状に配置される回転ダイヤルと押しボタンとから構成され、
前記制御部は、当該項目選択装置に通電されたときに前記表示部の全体を視認可能な照度になるように前記背景照明部を制御し、使用者が行なう前記回転ダイヤルと前記押しボタンとの操作に基づいて、使用者が選択した項目が表示されるように前記文字表示部を制御し、使用者が選択した項目が強調項目として照明されるように前記局所照明部を制御する、項目選択装置。
【請求項２】
請求項１に記載の項目選択装置を備え、
前記項目は加熱調理のメニューである、加熱調理器。
【発明の詳細な説明】
【技術分野】
【０００１】
この発明は、一般的には項目選択装置と加熱調理器とに関し、特定的には、使用者が複数の項目のうちの１つを選択する項目選択装置と、使用者が複数の加熱調理メニューのうちの１つを選択する加熱調理器とに関する。
【背景技術】
【０００２】
従来、例えば、加熱調理器における調理メニューの表示装置のように、複数の項目から構成される情報を表示する装置がある。このような情報表示装置には、点光源を用いて、特定の項目だけを点灯させて強調するものがある。
【０００３】
例えば、特開平５−３２２１７６号公報（特許文献１）には、調理に関連する各種の情報を文字及びグラフィック表示する主表示部と、コース選択ダイヤルによる選択内容を、対応するＬＥＤの点灯により表示するコース表示部とを備える電子レンジが記載されている。
【０００４】
特開平６−７４４５１号公報（特許文献２）には、操作ダイヤルの回動量に応じて、自動加熱調理メニューの群表示部のバックライトと、その群表示部の個々のメニューのＬＥＤとの両方を点灯表示する加熱調理器が記載されている。この加熱調理器では、例えば、「あたため．野菜．解凍」の群表示部のバックライトを点灯させるとともに、その群の「牛乳」のところの表示部ＬＥＤを点灯表示させる。また例えば、「ハートフル調理」の群表示部のバックライトを点灯させるとともに、「ラーメン」の表示部ＬＥＤを点灯表示させる。このように、この加熱調理器では群表示部ごとにバックライトを点灯させたり消灯させたりする。
【先行技術文献】
【特許文献】
【０００５】
【特許文献１】特開平５−３２２１７６号公報
【特許文献２】特開平６−７４４５１号公報
【発明の概要】
【発明が解決しようとする課題】
【０００６】
しかしながら、特開平５−３２２１７６号公報（特許文献１）に記載の電子レンジでは、使用者は視線をしきりに移動させる必要があり、注意力をそがれ、表示部に表示される情報を読み取りにくくなる。
【０００７】
また、特開平６−７４４５１号公報（特許文献２）に記載されている加熱調理器では、複数の群表示部のうち、１つの群表示部のバックライトを点灯させ、他の群表示部のバックライトを消灯するので、使用者は表示部全体の情報を読み取ることができなくなる。
【０００８】
そこで、この発明の目的は、使用者に情報を読み取りやすくさせることが可能な項目選択装置と加熱調理器とを提供することである。
【課題を解決するための手段】
【０００９】
この発明に従った項目選択装置は、強調して表示される強調項目と強調して表示されない非強調項目とを含む複数の項目を表示する表示部と、表示部の全体の背景を照明する背景照明部と、強調項目を照明する局所照明部と、複数の項目から１つの項目を使用者が選択するための選択部とを備え、背景照明部は、第１の光源と、第１の光源の光を均一に拡散させる導光板とを有し、局所照明部が強調項目を照明している間に強調項目と非強調項目の両方を照明する。
【００１２】
この発明に従った項目選択装置においては、局所照明部は、点光源である第２の光源を有し、使用者が選択部によって選択した項目を強調項目として照明する。
【００２０】
この発明に従った項目選択装置は、表示部とは別個に形成され、使用者が選択部によって選択した項目を文字で表示する文字表示部と、背景照明部と局所照明部と文字表示部とを制御する制御部とをさらに備える。
【００２１】
表示部は、複数の項目が印刷されたシートによって構成される。表示部が表示する項目は複数の上位項目を含む。それぞれの上位項目は複数の下位項目を含む。
【００２２】
背景照明部は、サイドライトと、導光板と、ホルダーとによって構成される。サイドライトは、シートの背面側においてシートの一辺に近接して配置されてシートの方向に照明光を照射する。導光板は、シートの背面側においてサイドライトの光をシートの背面に均一に拡散させる。ホルダーは、導光板を保持する。ホルダーには開口部が形成されている。
【００２３】
局所照明部は、ホルダーの開口部を通して強調項目を照明するように配置される。選択部は、使用者が操作して項目を選択するための、同軸状に配置される回転ダイヤルと押しボタンとから構成される。
【００２４】
制御部は、項目選択装置に通電されたときに表示部の全体を視認可能な照度になるように背景照明部を制御する。また、制御部は、使用者が行なう回転ダイヤルと押しボタンとの操作に基づいて、使用者が選択した項目が表示されるように文字表示部を制御する。また、制御部は、使用者が選択した項目が強調項目として照明されるように局所照明部を制御する。
【００２５】
表示部には、複数の下位項目を含む複数の上位項目が表示されている。項目選択装置に通電されると、表示部の全体が背景照明部によって照明され、使用者は上位項目と下位項目の両方を含む表示部の全体を視認することが可能になる。
【００２６】
使用者は、表示部の全体を見ながら、回転ダイヤルと押しボタンとを操作して、項目を選択する。使用者が選択した項目は、文字表示部に文字で表示される。使用者が選択した項目はまた、表示部にて強調項目として表示される。このように、使用者が行なった操作がフィードバックされる。
【００２７】
使用者が選択していない項目は、局所照明部によっては照明されないが、背景照明部によって照明されている。そのため、使用者は、項目を選択しながら、表示部の全体から情報を読み取ることができる。
【００２８】
また、背景照明部においては、導光板がサイドライトの光を、複数の項目が印刷されたシートの背面に均一に拡散させることによって、表示部全体を均一に照明することができる。
【００２９】
一方、ホルダーには開口部が形成され、局所照明部は、ホルダーの開口部を通して強調項目を照明する。このようにすることにより、簡単な構成で、表示部全体の背景照明を行いながら、特定の項目だけ局所照明することができる。
【００３０】
この発明に従った加熱調理器は、上記の項目選択装置を備え、項目は加熱調理のメニューであることが好ましい。
【００３１】
このようにすることにより、使用者に加熱調理のメニューを読み取りやすくさせ、加熱調理メニューを選択させやすくすることが可能な加熱調理器を提供することができる。
【発明の効果】
【００３２】
以上のように、この発明によれば、使用者に情報を読み取りやすくさせることが可能な項目選択装置と加熱調理器とを提供することができる。
【図面の簡単な説明】
【００３３】
【図１】この発明の一つの実施の形態として、加熱調理器の全体を示す正面図である。
【図２】加熱調理器のメニュー表示部のメニューシートの全体を示す図である。
【図３】メニューシートの裏側に配置される導光板の全体を示す図である。
【図４】導光板と、導光板が伝播する光の光源とを示す図である。
【図５】ホルダーと、ホルダーの開口部に配置されるＬＥＤとを示す図（Ａ）と、ＬＥＤだけを取り出して示す図（Ｂ）である。
【図６】導光板の断面の一部を拡大し、照明光の通過経路の概念を示す図である。
【図７】加熱調理器の制御関連の構成を示すブロック図である。
【図８】加熱調理器の駆動開始から上位項目の選択を開始するまでの行程を順に示すフローチャートである。
【図９】上位項目の選択開始から上位項目の選択を決定するまでの行程を順に示すフローチャートである。
【図１０】特定の上位項目が強調表示されているときのメニュー表示部を示す図である。
【図１１】上位項目の選択から調理開始までの行程を順に示すフローチャートである。
【図１２】特定の下位項目が強調表示されているときのメニュー表示部を示す図である。
【発明を実施するための形態】
【００３４】
以下、この発明の実施の形態を図面に基づいて説明する。
【００３５】
図１は、この発明の一つの実施の形態として、加熱調理器の全体を示す正面図である。
【００３６】
図１に示すように、加熱調理器１は、本体１０１を備え、本体１０１の内部には加熱室が形成されている。加熱室の内部には、被加熱調理物を載置するためのトレーが配置されている。本体１０１の正面には被加熱調理対象物を出し入れするための開口部が形成され、開口部を開放または閉塞するためのタテ開きのドア１０２が取り付けられている。使用者は、ドア１０２の把手１０４を保持してドア１０２を開閉することができる。ドア１０２の上部にはドアスクリーン１０３が形成され、使用者はドアスクリーン１０３を通して加熱室の内部を視認することができる。ドア１０２の下部にはメニュー表示部２１０が配置されている。
【００３７】
本体１０１の正面においては、ドア１０２の脇に表示操作部２２０が配置されている。一例として、メニュー表示部２１０と表示操作部２２０とによって、項目選択装置２００が構成される。表示操作部２２０には、文字表示部として液晶表示部２２５と、回転ダイヤルとして操作ツマミ２２１と、押しボタンとして決定ボタン２２２と、開始ボタン２２３と取消ボタン２２４とが配置されている。操作ツマミ２２１と決定ボタン２２２は、選択部の一例である。
【００３８】
操作ツマミ２２１と決定ボタン２２２は同軸状に配置されている。使用者は、操作ツマミ２２１を回転させることによって、加熱調理のメニューを選択し、決定ボタン２２２を押してメニューの選択を決定することができる。これらのツマミやボタンを操作することによって、加熱調理のメニューを選択したり、一旦決定した選択を変更したり、加熱調理を開始させたりすることができる。液晶表示部２２５には、使用者が選択した加熱調理メニューの上位項目が文字で表示される。
【００３９】
図２は、加熱調理器のメニュー表示部のメニューシートの全体を示す図である。
【００４０】
図２に示すように、メニューシート２１１には加熱調理のメニューが表示されている。メニューシート２１１は矩形に形成された、透光性のあるシートである。このシートに、文字、数字、線部分が白色または黄色系の半透光性のインクで印刷され、その他の部分が黒色の半透光性のインクで印刷されている。
【００４１】
メニューシート２１１においては、加熱調理の複数のメニューが３つの上位項目（カテゴリー）に分けて表示されている。３つの上位項目は、自動メニュー上位項目２１１Ａと、健康メニュー上位項目２１１Ｂと、手動加熱上位項目２１１Ｃである。それぞれの上位項目は、複数の下位項目を含む。
【００４２】
自動メニュー上位項目２１１Ａには、例えば、「１  サックリあたため」「２  しっとりあたため」「１４  焼きいも」などの自動メニュー下位項目２１１ａが含まれる。このように、それぞれの下位項目は、番号と調理メニューの名称とから構成されている。健康メニュー上位項目２１１Ｂには、例えば、「１５  鶏の照り焼き」「１６  鶏のから揚げ」「２８  ゆで根菜」などの健康メニュー下位項目２１１ｂが含まれる。手動加熱上位項目２１１Ｃには、例えば、「２９  レンジ」「３０  蒸し物」「３５  お手入れ」などの手動加熱下位項目２１１ｃが含まれる。メニューシート２１１には、３つの上位項目と、それぞれの上位項目に含まれる下位項目が全て表示されている。
【００４３】
メニューシート２１１は、裏側から導光板とホルダーとによって支持されている。導光板は、メニューシート２１１の全体を均一に照明するために光源が発する光を伝播する板状部材である。
【００４４】
図３は、メニューシートの裏側に配置される導光板の全体を示す図である。図３の（Ａ）には導光板の１つの形態を示し、図３の（Ｂ）には導光板の別の形態を示す。
【００４５】
図３の（Ａ）と（Ｂ）に示す導光板２１２ａ，２１２ｂは、メニューシート２１１（図２）の裏面全体に対向して接触するように加熱調理器１（図１）の本体１０１（図１）中に配置される。
【００４６】
図３の（Ａ）に示すように、１つの形態として、導光板２１２ａはアクリル樹脂で形成された平板であり、導光板２１２ａの表面にはドットパターンが印刷されている。
【００４７】
図３の（Ｂ）に示すように、別の形態の導光板２１２ｂは、断面が導光板２１２ｂの背面側で湾曲形状になるように形成されている。このような導光板２１２ｂでは、湾曲した背面側での全反射を利用して均一照明を行なうことができる。このように背面側を湾曲させ、全反射を利用して均一な照明を行なう導光板２１２ｂでは、ドットパターンの印刷は必要ない。
【００４８】
メニューシート２１１は、導光板２１２ａ，２１２ｂが伝播する光によって背景照明されるが、メニューシート２１１の照度の均一性、照明効率の優先度は低いので、製造コストを低減するために、簡易な構造の導光板２１２ａ，２１２ｂを採用することができる。
【００４９】
図４は、導光板と、導光板が伝播する光の光源とを示す図である。図４の（Ａ）は、図３の（Ａ）に示す導光板と光源とを示す図であり、図４の（Ｂ）は、図３の（Ｂ）に示す導光板と光源とを示す図である。
【００５０】
図４の（Ａ）に示すように、導光板２１２ａの側面に沿って延びるように第１の光源としてサイドライト２１３を配置する。図４の（Ｂ）に示すように、表面にドットパターンを印刷せず、背面を湾曲させた導光板２１２ｂでは、サイドライト２１３の表面を覆うようにサイドライトカバー２１４を配置する。
【００５１】
このように配置されたサイドライト２１３は、メニューシート２１１の一辺に近接する。サイドライト２１３は、導光板２１２ａ，２１２ｂとメニューシート２１１の方向に照明光を照射する。導光板２１２ａ，２１２ｂは、サイドライト２１３から発する光を伝播して、メニューシート２１１を背面側から均一に照明する。この実施の形態においては、サイドライト２１３が発する光は白色であるとする。
【００５２】
メニューシート２１１の背面側に配置される導光板２１２ａ，２１２ｂは、背面側からホルダーによって支持される。
【００５３】
図５は、ホルダーと、ホルダーの開口部に配置されるＬＥＤとを示す図（Ａ）と、ＬＥＤだけを取り出して示す図（Ｂ）である。
【００５４】
図５の（Ａ）に示すように、導光板２１２ａ（図４）を背面側から支持するホルダー２１５は、矩形の非透光性の板状部材である。ホルダー２１５には、複数の開口部２１６が形成されている。ホルダー２１５は、導光板２１２ａを挟んでメニューシート２１１の全体と対向するように加熱調理器１の内部に配置される。開口部２１６は、メニューシート２１１に印刷されているそれぞれの上位項目と、それぞれの下位項目のメニュー番号に対向する位置に形成されている。それぞれの開口部２１６の位置には、ホルダー２１５の背面側に図５の（Ｂ）に示すＬＥＤ（発光ダイオード）２１７が配置されている。ＬＥＤ２１７は全部で４３個配置されている。この実施の形態においては、ＬＥＤ２１７が発する光は黄色であるとするが、他の色であってもかまわない。ＬＥＤ２１７は点光源であり、第２の光源の一例である。
【００５５】
ＬＥＤ２１７は、上位項目の全体を均一に点灯させるために、上位項目に対向する開口部２１６には複数個ずつ、開口部２１６の長手方向の全体に亘って配置されている。一方、それぞれの下位項目の番号に対向する開口部２１６には、各開口部２１６の中央にＬＥＤ２１７がひとつずつ配置されている。
【００５６】
製造コスト等や電源容量などに問題がなければ、下位項目を照明するＬＥＤ２１７も、上位項目を照明するＬＥＤ２１７と同様に、１つの下位項目について複数個ずつ配置して下位項目の全体を点灯可能であるようにしてもよい。
【００５７】
以上のように、背景照明部は、サイドライト２１３と導光板２１２ａとホルダー２１５とによって構成されている。局所照明部は、ＬＥＤ２１７によって構成されている。背景照明部と局所照明部とメニュー表示部２１０（図１）は、情報表示装置を構成している。
【００５８】
図６は、導光板の断面の一部を拡大し、照明光の通過経路の概念を示す図である。
【００５９】
図６に示すように、導光板２１２ａの断面において、背景照明部のサイドライト２１３による照明光は、導光板２１２ａの側面から入射し、背面側で全反射される。一方、局所照明部のＬＥＤ２１７の照明光は、導光板２１２ａの背面から入射し導光板２１２ａを透過する。このように、それぞれ異なった位置に配設された背景照明部及び局所照明部の照明光は、導光板２１２ａに対する入射角によって全反射と透過の異なった動作となり、別の通過経路を経てメニュー表示部２１０（図１）の照明を行う。
【００６０】
図７は、加熱調理器の制御関連の構成を示すブロック図である。
【００６１】
図７に示すように、加熱調理器１は、制御関連の構成として、主に、制御部２３０と、項目選択装置２００と、ドアスイッチ２４０とから構成される。制御部２３０は、制御マイクロコンピュータ２３１と加熱調理器制御部２３２と、記憶部２３３とを含む。項目選択装置２００は、サイドライト２１３とＬＥＤ２１７とを含むメニュー表示部２１０と、液晶表示部２２５と、操作部２２６とを含む。操作部２２６は、操作ツマミ２２１、決定ボタン２２２と、開始ボタン２２３と、取消ボタン２２４とから構成されている。
【００６２】
記憶部２３３は、液晶表示部２２５に表示される文字のデータや、加熱調理の加熱シーケンスのデータを記憶する。
【００６３】
加熱調理器１のドア１０２（図１）が開閉されると、ドアスイッチ２４０がドア１０２の開閉を検知して、制御部２３０の制御マイクロコンピュータ２３１に信号を送る。制御マイクロコンピュータ２３１は、加熱調理器制御部２３２と記憶部２３３と、信号の送受信を行なう。
【００６４】
操作部２２６は、使用者が操作ツマミ２２１、決定ボタン２２２、開始ボタン２２３、取消ボタン２２４を操作すると、制御部２３０の加熱調理器制御部２３２に信号を送信する。加熱調理器制御部２３２は、操作部２２６から送られた信号と制御マイクロコンピュータ２３１から送られた信号に基づいてサイドライト２１３、ＬＥＤ２１７、液晶表示部２２５を制御する。制御部２３０は、使用者が選択した項目を液晶表示部２２５に文字で表示し、また、サイドライト２１３を点灯させ、操作ツマミ２２１の回動量に基づいてＬＥＤ２１７を点灯させて、背景照明と強調照明とを行なうことによって、使用者によって選択された項目を強調表示する。
【００６５】
以上のように構成される加熱調理器１の動作を説明する。
【００６６】
図８は、加熱調理器の駆動開始から上位項目の選択を開始するまでの行程を順に示すフローチャートである。
【００６７】
図８に示すように、ステップＳ００１では、加熱調理器１は待機状態（電源遮断状態）になっている。この状態では、外光の透過・反射によって、メニューシート２１１の文字がうっすら見えている。
【００６８】
ステップＳ００２では、使用者がドア１０２を開き、被加熱調理物をトレーに載置する。ステップＳ００３では、制御部２３０に通電され、制御部２３０が初期化される。ステップＳ００４では、制御部２３０が動作を開始する。ステップＳ００５では、制御部２３０は、液晶表示部２２５を点灯させるように制御する。液晶表示部２２５には、操作案内が表示される。
【００６９】
ステップＳ００６では、制御部２３０は、メニュー表示部２１０の背景照明をするため、サイドライト２１３を点灯させるように制御する。サイドライト２１３が点灯されると、メニュー表示部２１０が視認可能になる。メニュー表示部２１０の文字が明瞭に見えるようになる。
【００７０】
図９は、上位項目の選択開始から上位項目の選択を決定するまでの行程を順に示すフローチャートである。
【００７１】
図９に示すように、ステップＳ００７では、使用者は操作ツマミ２２１を操作して、メニューの選択を開始する。ステップＳ００８では、制御部２３０は、使用者によって操作される操作ツマミ２２１の回動量に応じて、３つの上位項目のうちの１つを文字で表示するように、液晶表示部２２５を制御する。また、ステップＳ００９では、メニュー表示部２１０にて、液晶表示部２２５に表示された上位項目に該当する上位項目を強調表示するように、ＬＥＤ２１７を制御する。
【００７２】
図１０は、特定の上位項目が強調表示されているときのメニュー表示部を示す図である。
【００７３】
図１０に示すように、制御部２３０は、使用者によって操作される操作ツマミ２２１の回動量に応じてＬＥＤ２１７を制御して、３つの上位項目のうちの１つを強調表示する。図１０には、自動メニュー上位項目２１１ＡがＬＥＤ２１７で局所照明され、強調表示されている状態を示す。
【００７４】
このようにすることにより、使用者は、液晶表示部２２５の表示と、表示部の強調表示の両方から、現在どの上位項目を選択することが可能であるのかを容易に理解することが理解できる。
【００７５】
図９に示すように、ステップＳ０１０では、使用者は、強調表示されている上位項目を選択することを決定できるかどうかを判断する。使用者は、強調表示されている加熱調理の上位項目メニューを、実行する加熱調理メニューとして決定することができるのであれば、ステップＳ０１１に進み、決定ボタン２２２を押す。一方、使用者は、強調表示されている加熱調理の上位項目メニューを、実行する加熱調理メニューとして決定することができないのであれば、ステップＳ００７に戻り、さらに操作ツマミ２２１を回動させる。
【００７６】
図１１は、上位項目の選択から調理開始までの行程を順に示すフローチャートである。
【００７７】
図１１に示すように、ステップＳ０１２では、使用者は操作ツマミ２２１を操作して、下位メニューの選択を開始する。
【００７８】
ステップＳ０１３では、制御部２３０は、使用者によって操作される操作ツマミ２２１の回動量に応じて、強調表示されている自動メニュー上位項目２１１Ａに含まれる１４の下位項目のうちの１つを文字で表示するように、液晶表示部２２５を制御する。また、ステップＳ０１４では、メニュー表示部２１０にて、液晶表示部２２５に表示された下位項目に該当する下位項目を強調表示するように、ＬＥＤ２１７を制御する。
【００７９】
図１２は、特定の下位項目が強調表示されているときのメニュー表示部を示す図である。
【００８０】
図１２に示すように、制御部２３０は、使用者によって操作される操作ツマミ２２１の回動量に応じてＬＥＤ２１７を制御して、強調表示されている上位項目に含まれる下位項目のうちの１つを強調表示する。図１２には、自動メニュー上位項目２１１ＡがＬＥＤ２１７で局所照明されて強調表示されているときに、自動メニュー上位項目２１１Ａに含まれる下位項目の１つである、「１  サックリあたため」の番号部分「１」が黄色の光で局所照明されている状態を示す。
【００８１】
このようにすることにより、使用者は、液晶表示部２２５の表示と、メニュー表示部２１０の強調表示の両方から、現在どの上位項目（カテゴリー）の、どの下位項目を選択することが可能であるのかを容易に理解することが理解できる。
【００８２】
図１１に示すように、ステップＳ０１５では、使用者は、強調表示されている下位項目を選択することを決定できるかどうかを判断する。使用者は、強調表示されている加熱調理の下位項目メニューを、実行する加熱調理メニューとして決定することができるのであれば、ステップＳ０１６に進み、開始ボタン２２３を押す操作を行う。一方、使用者は、強調表示されている加熱調理の下位項目メニューを、実行する加熱調理メニューとして決定することができないのであれば、ステップＳ０１２に戻り、さらに操作ツマミ２２１を回動させる。
【００８３】
ステップＳ０１６で開始ボタン２２３が押されると、ステップＳ０１７で加熱調理が開始される。加熱調理器制御部２３２は、制御マイクロコンピュータ２３１を介して、使用者によって選択が決定された加熱調理メニューに対応する加熱シーケンスを記憶部２３３から読み出し、この加熱シーケンスに従って加熱調理が行われる。
【００８４】
以上のように、情報表示装置は、強調して表示される強調項目と強調して表示されない非強調項目とを含む複数の項目を表示するメニュー表示部２１０と、メニュー表示部２１０の全体の背景を照明する背景照明部と、強調項目を照明する局所照明部とを備え、局所照明部が強調項目を照明している間、背景照明部は、強調項目と非強調項目の両方を照明する。
【００８５】
背景照明部は、強調項目と非強調項目の両方を含むメニュー表示部２１０の全体の背景を照明する。一方、局所照明部は、強調項目を照明する。局所照明部が強調項目を照明することによって、使用者は、メニュー表示部２１０に表示されている複数の項目から強調項目を区別して認識することができる。また、局所照明部が強調項目を照明している間、非強調項目は背景照明部によって照明されているので、使用者は、強調項目が強調して表示されている間、強調項目と非強調項目の両方を読み取ることができる。
【００８６】
このようにすることにより、使用者に情報を読み取りやすくさせることが可能な情報表示装置を提供することができる。
【００８７】
この発明に従った情報表示装置は、背景照明部は、サイドライト２１３と、サイドライト２１３の光を均一に拡散させる導光板２１２ａとを有し、局所照明部はＬＥＤ２１７を有し、ＬＥＤ２１７は点光源である。
【００８８】
このようにすることにより、局所照明部によって強調項目が強調して表示されやすくなる。
【００８９】
この発明に従った項目選択装置２００においては、上記のいずれかの情報表示装置と、複数の項目から１つの項目を使用者が選択するための操作部２２６とを備える。
【００９０】
このようにすることにより、使用者に項目を読み取りやすくさせ、項目を選択させやすくすることが可能な項目選択装置２００を提供することができる。
【００９１】
この発明に従った項目選択装置２００においては、局所照明部は、使用者が操作部２２６によって選択した項目を強調項目として照明する。
【００９２】
このようにすることにより、使用者に項目を選択させやすくすることが可能な項目選択装置２００を提供することができる。
【００９３】
この発明に従った項目選択装置２００は、メニュー表示部２１０とは別個に形成され、使用者が操作部２２６によって選択した項目を文字で表示する液晶表示部２２５と、背景照明部と局所照明部と液晶表示部２２５とを制御する制御部２３０とを備える。
【００９４】
メニュー表示部２１０は、複数の項目が印刷されたメニューシート２１１によって構成される。メニュー表示部２１０が表示する項目は複数の上位項目を含む。それぞれの上位項目は複数の下位項目を含む。
【００９５】
背景照明部は、サイドライト２１３と、導光板２１２ａと、ホルダー２１５とによって構成される。サイドライト２１３は、メニューシート２１１の背面側においてメニューシート２１１の一辺に近接して配置されてメニューシート２１１の方向に照明光を照射する。導光板２１２ａは、メニューシート２１１の背面側においてサイドライト２１３の光をメニューシート２１１の背面に均一に拡散させる。ホルダー２１５は、導光板２１２ａを保持する。ホルダー２１５には開口部２１６が形成されている。
【００９６】
局所照明部は、ホルダー２１５の開口部２１６を通して強調項目を照明するように配置される。操作部２２６は、使用者が操作して項目を選択するための、同軸状に配置される操作ツマミ２２１と決定ボタン２２２とから構成される。
【００９７】
制御部２３０は、当該項目選択装置２００に通電されたときにメニュー表示部２１０の全体を視認可能な照度になるように背景照明部を制御する。また、制御部２３０は、使用者が行なう操作ツマミ２２１と決定ボタン２２２との操作に基づいて、使用者が選択した項目が表示されるように液晶表示部２２５を制御する。また、制御部２３０は、使用者が選択した項目が強調項目として照明されるように局所照明部を制御する。
【００９８】
メニュー表示部２１０には、複数の下位項目を含む複数の上位項目が表示されている。項目選択装置２００に通電されると、メニュー表示部２１０の全体が背景照明部によって照明され、使用者は上位項目と下位項目の両方を含むメニュー表示部２１０の全体を視認することが可能になる。
【００９９】
使用者は、メニュー表示部２１０の全体を見ながら、操作ツマミ２２１と決定ボタン２２２とを操作して、項目を選択する。使用者が選択した項目は、液晶表示部２２５に文字で表示される。使用者が選択した項目はまた、表示部にて強調項目として表示される。このように、使用者が行なった操作がフィードバックされて視覚化される。
【０１００】
使用者が選択していない項目は、局所照明部によっては照明されないが、背景照明部によって照明されている。そのため、使用者は、項目を選択しながら、メニュー表示部２１０の全体から情報を読み取ることができる。
【０１０１】
また、背景照明部においては、導光板２１２ａがサイドライト２１３の光を、複数の項目が印刷されたメニューシート２１１の背面に均一に拡散させることによって、メニュー表示部２１０全体を均一に照明することができる。
【０１０２】
一方、ホルダー２１５には開口部２１６が形成され、局所照明部は、ホルダー２１５の開口部２１６を通して強調項目を照明する。このようにすることにより、簡単な構成で、メニュー表示部２１０全体の背景照明を行いながら、特定の項目だけ局所照明することができる。
【０１０３】
この発明に従った加熱調理器１は、上記のいずれかの項目選択装置２００を備え、項目は加熱調理のメニューである。
【０１０４】
このようにすることにより、使用者に加熱調理のメニューを読み取りやすくさせ、加熱調理メニューを選択させやすくすることが可能な加熱調理器１を提供することができる。
【０１０５】
以上に開示された実施の形態はすべての点で例示であって制限的なものではないと考慮されるべきである。本発明の範囲は、以上の実施の形態ではなく、特許請求の範囲によって示され、特許請求の範囲と均等の意味および範囲内でのすべての修正と変形を含むものである。
【符号の説明】
【０１０６】
１：加熱調理器、２００：項目選択装置、２１０：メニュー表示部、２１１：メニューシート、２１１Ａ：自動メニュー上位項目、２１１ａ：自動メニュー下位項目、２１１Ｂ：健康メニュー上位項目、２１１ｂ：健康メニュー下位項目、２１１Ｃ：手動加熱上位項目、２１１ｃ：手動加熱下位項目、２１２ａ，２１２ｂ：導光板、２１３：サイドライト、２１５：ホルダー、２１６：開口部、２１７：ＬＥＤ、２２１：操作ツマミ、２２２：決定ボタン、２２５：液晶表示部、２３０：制御部。
【図１】
0005173866.tif 000002
【図２】
0005173866.tif 000003
【図３】
0005173866.tif 000004
【図４】
0005173866.tif 000005
【図５】
0005173866.tif 000006
【図６】
0005173866.tif 000007
【図７】
0005173866.tif 000008
【図８】
0005173866.tif 000009
【図９】
0005173866.tif 000010
【図１０】
0005173866.tif 000011
【図１１】
0005173866.tif 000012
【図１２】
0005173866.tif 000013